(57)【要約】      （修正有）【課題】香りを蒸散させるための特別の操作を必要とすることなく、十分な木の香りを発するような装身具であって、十分な木の香りを発し、容易に生産でき、長期にわたって使用できるものを提供する。【解決手段】結び目部３と剣部１とを繋ぎ紐４で結合した木製のネクタイ本体を有し、前記繋ぎ紐４は前記結び目部３から前記剣部１とは反対側に伸張されて首掛け部材となり、前記剣部１は、２以上の互いに分割された要素部２からなり、前記要素部２を前記繋ぎ紐４で結合したことを特徴とする、木製ネクタイであって、前記要素部は、表面板材と裏面板材の２つの板材を接着したものであることを特徴とする。【選択図】図１
0003177617.tif 000002
【実用新案登録請求の範囲】
【請求項１】
木製の結び目部と木製の剣部とを繋ぎ紐で結合し、前記繋ぎ紐は前記結び目部から前記剣部とは反対側に伸張されて首掛け部材となり、前記剣部は、２以上の互いに分割された要素部からなり、前記要素部を前記繋ぎ紐で結合した木製ネクタイであって、
前記要素部は、表面板材と裏面板材の２つの板材を接着したものであることを特徴とする、木製ネクタイ。
【請求項２】
前記表面板材及び前記裏面板材は共に板目材であり、前記接着は前記表面板材及び前記裏面板材の木裏同士又は木表同士を接着したものであることを特徴とする、請求項１に記載の木製ネクタイ。
【請求項３】
前記要素部のうちの少なくとも１つが、ヒノキ材又はスギ材によるものであることを特徴とする、請求項１又は２に記載の木製ネクタイ。
【請求項４】
前記要素部のうちの少なくとも１つに香油を含有させ又は塗布したものであることを特徴とする、請求項１〜３のいずれか１項に記載の木製ネクタイ。
【請求項５】
前記前記要素部のうちの少なくとも１つが、香油を塗布するための無塗装部を有することを特徴とする、請求項４に記載の木製ネクタイ。
【考案の詳細な説明】
【技術分野】
【０００１】
本考案は、木製のネクタイに関するものである。
【背景技術】
【０００２】
木は、その香りによってリラクセーション効果及びいわゆる「癒し」の効果を持つと言われ、建築材料として広く用いられている。
建築材料としての使用に限定せずに木の香りによる効果を十分に享受するためには、体に装着する装身具として木を用いることが考えられる。特に、鼻腔に近い首周りに装着することが好ましい。特許文献１には、香りによる効果の記載はないが、ネクタイの結び目の装着具として木製のものが開示されている。また、特許文献２には、木の香りに限定せずに、ネックレスの契合部に付して香り成分を蒸散させるアクセサリー用品が開示されている。
【０００３】
以上のように、首周りから木の香りを発することは知られていたが、特許文献１及び特許文献２に記載のものには、それぞれ以下の問題があった。特許文献１のものは、ネクタイの結び目の装着具であって木の体積が小さいため、十分に木の香りが発せられるものではない。特許文献２のものは、香りを蒸散させるための液体を充填する必要があり、使用に当たって手間がかかる。
【０００４】
非特許文献１には、木製のネクタイが開示されている。木製のネクタイであれば、十分な体積があり、香りを蒸散させるための液体を充填せずに、木の香りを十分に発することができる。しかし、非特許文献１に記載のものには、以下の問題があった。（１）薄い板材に孔を空けて紐を通す構造であり、孔を空けるための加工に際して板材が破断してしまう可能性が高く、生産が困難である。（２）１枚の板を用いて生産されるため、経年変化による形状の変化が大きく、長期間の使用に適するものではない。（３）リサイクル木材を用いて生産されるものであるため、木の香りが十分に発せられるものではない。
【０００５】
以上のように、首周りから木の香りを発することは知られていたが、香りを蒸散させるための特別の操作を必要とすることなく、十分な木の香りを発するような装身具であって、容易に生産でき、長期にわたって使用できるものは知られていなかった。
【先行技術文献】
【特許文献】
【０００６】
【特許文献１】特開２００５−１９２７５５号公報
【特許文献２】特開２００８−０６２０２８号公報
【非特許文献】
【０００７】
【非特許文献１】「木の暖かさを感じる、レッドウッド木製ネクタイ」（http://www.fu-bi.jp/?pid=38098937）
【考案の概要】
【考案が解決しようとする課題】
【０００８】
解決しようとする問題点は、香りを蒸散させるための特別の操作を必要とすることなく、十分な木の香りを発するような装身具であって、容易に生産でき、長期にわたって使用できるものを提供することである。
【課題を解決するための手段】
【０００９】
本考案の木製ネクタイは、
木製の結び目部と木製の剣部とを繋ぎ紐で結合し、前記繋ぎ紐は前記結び目部から前記剣部とは反対側に伸張されて首掛け部材となり、前記剣部は、２以上の互いに分割された要素部からなり、前記要素部を前記繋ぎ紐で結合した木製ネクタイであって、
前記要素部は、表面板材と裏面板材の２つの板材を接着したものであることを特徴とする。
【００１０】
図１は、木製ネクタイを示す図である。剣部１は、多くの要素部２から構成される。要素部２と結び目部３とはそれぞれ通し孔２１及び３１を２つずつ有し、繋ぎ紐４が通し孔２１及び３１を貫通して要素部２及び結び目部３を結合してネクタイの形状を形成している。また、繋ぎ紐４は、結び目部３から剣部１とは反対側に伸張されて首掛け部材となっている。
剣部１の全体を１枚の板材で形成すると、体を前傾させた時に硬質の剣部が邪魔となることがある。剣部を２以上の互いに分割された要素部から構成することが好ましい。１つの要素部の縦方向の長さは５ｃｍ程度、最大でも１０ｃｍ以下とすることが好ましい。
なお、図においては、木製ネクタイの構造を示すために、結び目部と要素部の間隔及び要素部相互の間隔を広く描いている。実際は、結び目部と要素部の隣接する２つのものは、互いに接している、又は、１ｍｍ以下の間隔に配されている。
【００１１】
要素部２を生産する際には、通し孔２１を形成する必要がある。要素部２全体を１枚の板とすると、ドリル等によって孔を空けるための加工をする必要がある。この加工に際して板材が破断してしまう可能性が高く、生産が困難である。
図２は、要素部を示す図である。このように、表面板材２２及び裏面板材２３の２つの板材を接着する構成とすることにより、通し孔２１を容易に形成することができ、板材が破断してしまうことがなくなる。表面板材２２及び裏面板材２３の表面を削る加工によって通し孔２１が形成できるからである。
なお、図においては、要素部の構造を示すために、実際には接着される表面板材と裏面板材とを分離して描いている。
【００１２】
本考案の木製ネクタイは、
前記表面板材及び前記裏面板材は共に板目材であり、前記接着は前記表面板材及び前記裏面板材の木裏同士又は木表同士を接着したものであることを特徴とする。
【００１３】
図３は、木材の断面を示す図である。木材中心部を角材５１として用いる場合に、板目材５２は、角材に用いられない部分である端材から生産することができ、廉価に生産することができる。
これに対し、柾目材５３は、ドリルによる孔空け加工の際の破断の可能性が小さい、経時変化による反りが小さい等のメリットがあるが、木材中心部を用いて生産することとなり、生産コストが大きくなってしまう。
【００１４】
図２において、接着される２枚の板目材（表面板材２２及び裏面板材２３）の接着される面を共に図３における木裏面５２２とすることで、表面板材２２の経時変化による反りと裏面板材２２の経時変化による反りとが相殺され、要素部２全体としての経時変化による反りが小さくなる。
接着される面を共に木表面５２１としても、同様に、要素部２全体としての経時変化による反りが小さくなる。しかし、木表面の外観が木裏面の外観よりも好まれるので、ネクタイ表面を木表面とするよう、木裏面を接着することが好ましい。  
【００１５】
本考案の木製ネクタイは、
前記要素部のうちの少なくとも１つが、ヒノキ材又はスギ材によるものであることを特徴とする。
【００１６】
ヒノキ及びスギは、リラクセーション効果及びいわゆる「癒し」の効果を持つ香りを発する木材として知られている。また、建材として広く用いられており、端材による板目材が容易に入手できる。
【００１７】
本考案の木製ネクタイは、
前記要素部のうちの少なくとも１つに香油を含有させ又は塗布したものであることを特徴とする。
【００１８】
木の発する香りは、時間の経過と共に減少していくが、香油を含有させ又は塗布することによって香りの減少を補うことができる。香油としては、木から抽出した香り成分を含むエッセンシャルオイルを用いることも、人工的に生産した香り成分を含むオイルを用いることもできる。
【００１９】
本考案の木製ネクタイは、
前記要素部のうちの少なくとも１つが、香油を塗布するための無塗装部を有することを特徴とする
【００２０】
使用者が香油を塗布するためには、木の表面に塗布された香油を吸収する無塗装部を有することが好ましい。ニス等が塗装されている部分に香油を塗布することは困難だからである。
【考案の効果】
【００２１】
香りを蒸散させるための特別の操作を必要とすることなく、十分な木の香りを発するような装身具であって、十分な木の香りを発し、容易に生産でき、長期にわたって使用できる木製ネクタイが実現される。
【図面の簡単な説明】
【００２２】
【図１】図１は、木製ネクタイを示す図である。
【図２】図２は、要素部を示す図である。
【図３】図３は、木材の断面を示す図である。
【図４】図４は、剣部先端の要素部を示す図である。
【図５】図５は、木製ネクタイの形状のバリエーションを示す図である。
【考案を実施するための形態】
【００２３】
以下、本考案の実施例を示す。実施例１は本考案の木製ネクタイの好ましい実施形態である。実施例２は、木製ネクタイの形状のバリエーションを示すものである。
【実施例１】
【００２４】
木製ネクタイの構造は、図１及び図２に示すとおりであり、上述したものである。結び目部及び要素部は、厚さ３ｍｍのスギの板目材を２枚用い、その木裏面を接着して生産されている。板目材としては木の伸張する方向（図３に示された木材の断面に垂直な方向）に５０ｃｍ以上の長さのものが容易に生産できる。この板目材を剣部の形状に切断し、それを要素部に分割切断して生産する。こうすることにより、剣部を表面から見て元の板目材と同じ木目が見えるようになり、木の自然な外観を呈する。
【００２５】
図４は、剣部先端の要素部を示す図である。図は、ネクタイの裏側から見た図である。剣部先端の要素部２ａは、他の要素部と相違して、繋ぎ紐４を更に下側に伸ばす必要がない。裏面板材２３は縦方向に短く、使用者はその下方で繋ぎ紐４を結ぶ。繋ぎ紐４を結ぶ位置を調整することにより、繋ぎ紐４が結び目部の上方に残る長さを使用者の首回りのサイズに合わせることができる。
ネクタイ着用時に、結ばれた繋ぎ紐４は、表面板材２２の裏側にあるので、見えない。ここで、結ばれた繋ぎ紐４が長い場合にも見えないことを確実にするため、剣部先端の要素部２ａの裏側に表面板材を削った紐収納部２４が設けられている。紐収納部２４は、必須ではなく、これを設けなくてもよい。
【００２６】
要素部２には、スギの香りを発する香油が染み込ませてある。香油の蒸散によって香りが強くなり、リラクセーション効果が高くなる。また、要素部２はその表面に塗装を施していない。使用者は、自ら香油を要素部２に塗布し、香りの強弱を好みに合わせて調整することができる。なお、使用者の好みによってスギの香り以外の香りを発する香油を塗布してもよい。
【実施例２】
【００２７】
図５は、木製ネクタイの形状のバリエーションを示す図である。図の（ａ）は、実施例１に示した形状である。木製ネクタイは、布製ネクタイと違い剛性であるので種々の形状が使用時に安定して保たれる。また、実際に結ぶものではないので、結び目部の形状も種々のものを実現できる。以上に基づき、図に示した種々のバリエーションが可能である。図の（ｄ）や（ｅ）のように従来の布製のネクタイにはない形状とすることができ、ファッション性の高いネクタイが実現できることとなる。また、図の（ｆ）に示すように、要素部を左右２列に分割した形状とすることもできる。この場合、左側の要素部と右側の要素部を紐等で接続することが好ましい。むろん、図に示していない他の形状も実現できる。
【産業上の利用可能性】
【００２８】
香りを蒸散させるための特別の操作を必要とすることなく、十分な木の香りを発するような装身具であって、十分な木の香りを発し、容易に生産でき、長期にわたって使用できる木製ネクタイである。多くの消費者及び生産者に利用されることが考えられる。
【符号の説明】
【００２９】
１      剣部
２      要素部
２１    通し孔
２２    表面板材
２３    裏面板材
２４    紐収納部
３      結び目部
３１    通し孔
４      繋ぎ紐
５１    角材
５２    板目材
５２１  木表面
５２２  木裏面
５３    柾目材
【図１】
0003177617.tif 000003
【図２】
0003177617.tif 000004
【図３】
0003177617.tif 000005
【図４】
0003177617.tif 000006
【図５】
0003177617.tif 000007